(57)【特許請求の範囲】
【請求項１】
バッテリー端子と連結バスバーを介して接続され過電流が流れたときに可溶体が溶断するヒュージブルリンクと、
バッテリー筐体のポスト立設面に設けられたバッテリーポストに前記バッテリー端子が締結された状態で前記ポスト立設面と前記バッテリー端子との間に介在するベース部と、前記ベース部と前記ポスト立設面上で連接され前記ヒュージブルリンクを前記ポスト立設面に保持する保持部とを有する保持機構とを備えることを特徴とする、
ヒューズユニット。
【請求項２】
前記バッテリーポストは、前記ポスト立設面の凹部に設けられ、
前記保持部は、前記ベース部側の側壁が前記ポスト立設面上の前記凹部による段差に対応するように鉛直方向下側に延在し、当該側壁の下端部で前記ベース部と連続する、
請求項１に記載のヒューズユニット。
【請求項３】
前記保持機構は、前記ベース部において、前記バッテリー端子を前記バッテリーポストに締結可能な位置に装着する装着部を有し、
前記装着部は、前記ベース部上に設けられた係合爪部と、前記係合爪部と係合する蓋部とを含んで構成され、前記ベース部と前記蓋部との間に前記バッテリー端子を挟み込んだ状態で、前記蓋部が前記ベース部上の前記係合爪部と係合する、
請求項１又は請求項２に記載のヒューズユニット。
【請求項４】
前記バッテリー端子側又は前記ベース部側の一方に設けられる複数の凹部と、前記バッテリー端子側又は前記ベース部側の他方に設けられ前記複数の凹部のいずれかと嵌合する凸部とを有し、前記ベース部において、前記バッテリー端子を前記バッテリーポストに締結可能な位置に位置決めする端子位置決め機構を備える、
請求項１乃至請求項３のいずれか１項に記載のヒューズユニット。
【請求項５】
前記保持部は、底面の背面側が前記ポスト立設面に当接して載置される、
請求項１乃至請求項４のいずれか１項に記載のヒューズユニット。
【発明の詳細な説明】
【技術分野】
【０００１】
本発明は、ヒューズユニットに関する。
【背景技術】
【０００２】
車両等に搭載される従来のヒューズユニットとして、例えば、特許文献１には、バッテリー端子に立設されたボルトに接続される電源側端子と、負荷端子に接続される負荷側端子と、電源側端子と負荷側端子に渡して設けられた可溶体とが平板状に一体形成された導体と、電源側端子と負荷側端子の他端子との接続部をそれぞれ露出させて導体を被覆してなる樹脂製のカバーを備えるヒューズユニットが開示されている。
【先行技術文献】
【特許文献】
【０００３】
【特許文献１】特開２０１３−０３７９４９号公報
【発明の概要】
【発明が解決しようとする課題】
【０００４】
ところで、上述の特許文献１に記載のヒューズユニットは、例えば、バッテリー端子に直付けされる構成となっているが、このようなバッテリー端子をバッテリーポストに締結する場合、当該バッテリーポストに作用する荷重抑制の点でさらなる改善の余地がある。
【０００５】
本発明は、上記の事情に鑑みてなされたものであって、バッテリーポストに作用する荷重を抑制することができるヒューズユニットを提供することを目的とする。
【課題を解決するための手段】
【０００６】
上記目的を達成するために、本発明に係るヒューズユニットは、バッテリー端子と連結バスバーを介して接続され過電流が流れたときに可溶体が溶断するヒュージブルリンクと、バッテリー筐体のポスト立設面に設けられたバッテリーポストに前記バッテリー端子が締結された状態で前記ポスト立設面と前記バッテリー端子との間に介在するベース部と、前記ベース部と前記ポスト立設面上で連接され前記ヒュージブルリンクを前記ポスト立設面に保持する保持部とを有する保持機構とを備えることを特徴とする。
【０００７】
また、上記ヒューズユニットでは、前記保持機構は、前記ベース部において、前記バッテリー端子を前記バッテリーポストに締結可能な位置に装着する装着部を有するものとすることができる。
【０００８】
また、上記ヒューズユニットでは、前記バッテリー端子側又は前記ベース部側の一方に設けられる複数の凹部と、前記バッテリー端子側又は前記ベース部側の他方に設けられ前記複数の凹部のいずれかと嵌合する凸部とを有し、前記ベース部において、前記バッテリー端子を前記バッテリーポストに締結可能な位置に位置決めする端子位置決め機構を備えるものとすることができる。
【発明の効果】
【０００９】
本発明に係るヒューズユニットは、保持機構のベース部と連接された保持部によってヒュージブルリンクをバッテリー筐体のポスト立設面に保持し、当該ポスト立設面でヒュージブルリンクの荷重を受けることで、ヒューズユニットからバッテリー端子に作用する荷重を抑制することができるので、バッテリーポストに作用する荷重を抑制することができる、という効果を奏する。
【図面の簡単な説明】
【００１０】
【図１】図１は、実施形態１に係るヒューズユニットが適用されるバッテリーの概略構成を表す斜視図である。
【図２】図２は、実施形態１に係るヒューズユニットの概略構成を表す分解斜視図である。
【図３】図３は、実施形態１に係るヒューズユニットの概略構成を表す平面図である。
【図４】図４は、図３中のＡ１−Ａ１断面図である。
【図５】図５は、図３中のＢ１−Ｂ１断面図である。
【図６】図６は、図３中のＣ１−Ｃ１断面図である。
【図７】図７は、図３中のＤ１−Ｄ１断面図である。
【図８】図８は、実施形態２に係るヒューズユニットが適用されるバッテリーの概略構成を表す斜視図である。
【図９】図９は、実施形態２に係るヒューズユニットの概略構成を表す分解斜視図である。
【図１０】図１０は、実施形態２に係るヒューズユニットの概略構成を表す平面図である。
【図１１】図１１は、図１０中のＡ２−Ａ２断面図である。
【図１２】図１２は、図１０中のＢ２−Ｂ２断面図である。
【図１３】図１３は、図１０中のＣ２−Ｃ２断面図である。
【図１４】図１４は、図１０中のＤ２−Ｄ２断面図である。
【図１５】図１５は、実施形態３に係るヒューズユニットの端子位置決め機構近傍の部分平面図である。
【図１６】図１６は、図１５中のＡ３−Ａ３断面図である。
【図１７】図１７は、図１５中のＢ３−Ｂ３断面図である。
【図１８】図１８は、実施形態３に係るヒューズユニットのプロテクタのベース部近傍の部分平面図である。
【図１９】図１９は、実施形態３に係るヒューズユニットの端子ベースの平面図である。
【図２０】図２０は、図１９中のＡ４矢視図である。
【図２１】図２１は、図１９中のＢ４矢視図である。
【図２２】図２２は、変形例に係るヒューズユニットのプロテクタのベース部近傍の部分平面図である。
【図２３】図２３は、変形例に係るヒューズユニットのプロテクタのベース部近傍の部分平面図である。
【図２４】図２４は、実施形態４に係るヒューズユニットが適用されるバッテリーの概略構成を表す斜視図である。
【図２５】図２５は、実施形態４に係るヒューズユニットの係合爪部を含む部分断面図である。
【図２６】図２６は、変形例に係るヒューズユニットが適用されるバッテリーの概略構成を表す斜視図である。
【図２７】図２７は、実施形態５に係るヒューズユニットが適用されるバッテリーの概略構成を表す斜視図である。
【図２８】図２８は、実施形態５に係るヒューズユニットの係合爪部を含む部分断面図である。
【図２９】図２９は、変形例に係るヒューズユニットが適用されるバッテリーの概略構成を表す斜視図である。
【発明を実施するための形態】
【００１１】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１２】
［実施形態１］
図１は、実施形態１に係るヒューズユニットが適用されるバッテリーの概略構成を表す斜視図である。図２は、実施形態１に係るヒューズユニットの概略構成を表す分解斜視図である。図３は、実施形態１に係るヒューズユニットの概略構成を表す平面図である。図４は、図３中のＡ１−Ａ１断面図である。図５は、図３中のＢ１−Ｂ１断面図である。図６は、図３中のＣ１−Ｃ１断面図である。図７は、図３中のＤ１−Ｄ１断面図である。なお、図２は、説明をわかり易くするため、実際にはインサート成形によってハウジングの内部に埋設されるヒューズエレメント、スタッドボルトを分解して模式的に図示している。
【００１３】
なお、以下の説明では、バッテリーポスト１０２の中心軸線Ｘ１に沿った方向を軸方向という。典型的には、軸方向は、バッテリー１００が車両等に搭載された状態で、鉛直方向に沿った方向となり、後述するバッテリー筐体１０１のポスト立設面１０５は、典型的には、バッテリー筐体１０１の鉛直方向上面に相当する。またここでは、以下の説明を分かり易くするために、便宜的に当該軸方向と直交する２方向のうち一方を長辺方向（第１の幅方向）、他方を短辺方向（第２の幅方向）という。これら軸方向、長辺方向、及び、短辺方向は互いに直交する。
【００１４】
本実施形態に係るヒューズユニット１は、図１、図２、図３、図４、図５、図６、図７に示すように、車両等に搭載されるバッテリー１００に接続されるバッテリー端子１１０に適用され、電装回路の過電流保護に用いられるものである。
【００１５】
ここでまず、図１、図２、図３を参照して、当該ヒューズユニット１が適用されるバッテリー１００及びバッテリー端子１１０について説明する。
【００１６】
バッテリー１００は、例えば、車両等に蓄電装置として搭載されるものである。バッテリー１００は、バッテリー液や当該バッテリー１００を構成する種々の部品を収容するバッテリー筐体１０１、当該バッテリー筐体１０１に設けられたバッテリーポスト１０２等を含んで構成される。バッテリー筐体１０１は、いずれか１つの面が開放された略矩形箱状の筐体本体１０３と、上記開放された面を閉塞させる蓋部材１０４とを含んで構成され、全体として略直方体形状に形成される。ここでは、バッテリー筐体１０１は、長辺方向に沿った方向が長辺、短辺方向に沿った方向が短辺となるがこれに限らない。バッテリーポスト１０２は、導電性を有する鉛等により構成され、蓋部材１０４のポスト立設面１０５に立設される。ポスト立設面１０５は、バッテリー筐体１０１においてバッテリーポスト１０２が立設される面である。ここでは、当該ポスト立設面１０５は、例えば、バッテリー１００が車両等に搭載された状態で、バッテリー筐体１０１を構成する蓋部材１０４の鉛直方向上側の面（鉛直方向上面）である。このポスト立設面１０５は、後述の凹部１０６の底面も含む、蓋部材１０４の鉛直方向上面全体である。バッテリーポスト１０２は、略円柱形状であり、中心軸線Ｘ１がポスト立設面１０５と直交するような位置関係で当該ポスト立設面１０５上に突出するようにして立設される。より詳細には、本実施形態のバッテリーポスト１０２は、ポスト立設面１０５の角位置近傍に形成された凹部１０６内に立設される。当該凹部１０６は、ポスト立設面１０５の角位置近傍において略矩形状に陥没した部分である。バッテリーポスト１０２は、この凹部１０６内に立設されている。バッテリーポスト１０２は、典型的には、軸方向の先端側に進むにつれて径が小さくなるようテーパが付けられている。つまり、バッテリーポスト１０２は、先端の外径が基端の外径より小さいテーパ形状となる。
【００１７】
なお、バッテリーポスト１０２、凹部１０６は、長辺方向に対して、陽極、陰極で対となるように一対で設けられ、当該一対の凹部１０６は、連通凹部１０７（図７等も参照）を介して連通されている。連通凹部１０７は、蓋部材１０４の長辺方向の縁部に沿って形成される。以下の説明では、ヒューズユニット１が陽極側のバッテリーポスト１０２に設けられるバッテリー端子１１０に対して適用される場合を説明するがこれに限らない。なお、バッテリー１００は、鉛直方向下側に設けられる据付トレイ１０８等を介して車両の所定の位置に据え付けられる。
【００１８】
バッテリー端子１１０は、バッテリーポスト１０２に取り付けられることにより、バッテリー１００と、このバッテリー１００が搭載される車両等の本体側の電線１１４の末端に設けられた端子１１５等の金具とを電気的に接続するための部品である。バッテリー端子１１０は、本体部１１１と、スタッドボルト１１２と、締付部１１３とを備える。本体部１１１は、例えば、導電性を有する金属板のプレス折り曲げ加工により、環状部１１１ａ、ボルト保持部１１１ｂ等が一体で形成される。環状部１１１ａは、バッテリーポスト１０２が挿入されるポスト挿入孔１１１ｃと、当該ポスト挿入孔１１１ｃと連続するスリット１１１ｄが形成される。ポスト挿入孔１１１ｃは、略円形状に形成され、バッテリーポスト１０２が挿入された状態で、各内周面がバッテリーポスト１０２と接触するように、内周壁面に上述したバッテリーポスト１０２のテーパに対応したテーパを有している。ボルト保持部１１１ｂは、例えば、ボルト挿入孔１１１ｅにスタッドボルト１１２が挿入された状態で折り曲げ加工されることで、当該スタッドボルト１１２を保持する部分である。スタッドボルト１１２は、導電性を有し、ボルト保持部１１１ｂに保持された状態で、ボルト挿入孔１１１ｅから露出した軸部に電線１１４の末端に設けられた端子１１５等の金具が電気的に接続される（図１、図３等参照）。締付部１１３は、ポスト挿入孔１１１ｃ内にバッテリーポスト１０２が挿入された状態で、環状部１１１ａを当該バッテリーポスト１０２に締結するものである。締付部１１３は、例えば、ボルトと、ナットとを含んで構成され、当該ボルトが上述のスリット１１１ｄを横断するような位置関係で本体部１１１に組み付けられる。そして、締付部１１３は、ボルトの先端部分にナットが螺合されることで、環状部１１１ａを締め付けてバッテリー端子１１０をバッテリーポスト１０２に締結する。
【００１９】
そして、本実施形態のヒューズユニット１は、上記のようにしてバッテリー端子１１０がバッテリーポスト１０２に締結されるバッテリー１００にあって、ベース部３１と保持部３２とが一体的に形成された保持機構としてのプロテクタ３によって、ヒュージブルリンク２をポスト立設面１０５、ここでは、バッテリー筐体１０１の鉛直方向上面に保持することで、バッテリーポスト１０２に作用する荷重を抑制している。
【００２０】
具体的には、ヒューズユニット１は、図１、図２、図３、図４、図５、図６、図７に示すように、ヒュージブルリンク２と、保持機構としてのプロテクタ３とを備える。さらに、本実施形態のヒューズユニット１は、係止機構４と、連結バスバー５とを備える。
【００２１】
ヒュージブルリンク２は、バッテリー端子１１０と接続され過電流が流れたときに可溶体（ヒューズ）２１ｃが溶断するものである。ヒュージブルリンク２は、可溶体２１ｃが設けられたヒューズエレメント２１と、ヒューズエレメント２１に連接されるスタッドボルト２２と、ヒューズエレメント２１を支持する樹脂製のハウジング２３とを含んで構成される。
【００２２】
ヒューズエレメント２１は、導電性を有する板状の導体であり、金属バスバーによって構成される。ヒューズエレメント２１は、連結バスバー５等を介してバッテリー端子１１０に接続される電源側端子２１ａと、負荷端子に接続される複数の負荷側端子２１ｂと、電源側端子２１ａと各負荷側端子２１ｂとに渡して設けられた可溶体２１ｃとが平板状に一体形成される。各負荷側端子２１ｂは、負荷端子の形状等に応じて様々な形状を有している。各可溶体２１ｃは、電源側端子２１ａと各負荷側端子２１ｂとをそれぞれ導通接続している。各可溶体２１ｃは、例えば、幅を狭めた帯状の導電部に低融点金属チップを溶着させた構成で、過電流が流れたときに溶断し該当する電流経路を遮断する。ここで、可溶体２１ｃの過電流とは、例えば、予め設定された定格以上の電流である。つまり、各可溶体２１ｃは、予め設定された定格以上の電流が流れたときに溶断する。各可溶体２１ｃの定格電流は、保護する回路の電流に合わせてそれぞれ決められる。電源側端子２１ａ、各負荷側端子２１ｂは、それぞれボルト取付孔やコネクタ接続形状が設けられており、例えば、ボルト取付孔にはスタッドボルト２２が接合される。
【００２３】
各スタッドボルト２２は、導電性を有し、外部回路の負荷端子が電気的に接続される。
【００２４】
ハウジング２３は、絶縁性の樹脂材によって形成され、ヒューズエレメント２１及びスタッドボルト２２を支持して覆うブロック状ボディである。本実施形態のヒュージブルリンク２は、例えば、インサート成形等によってハウジング２３の内部にヒューズエレメント２１、スタッドボルト２２が埋設され一体化される（図６、図７等参照）。ヒュージブルリンク２は、全体として、略矩形箱状に形成される。
【００２５】
なお、ヒュージブルリンク２は、各可溶体２１ｃの位置が樹脂製の透明カバー部材２４によって覆われており、この透明カバー部材２４を通して各可溶体２１ｃを目視できるようになっている。
【００２６】
プロテクタ３は、ヒュージブルリンク２をポスト立設面１０５上に保持するものである。プロテクタ３は、ベース部３１と、保持部３２とを有し、これらが絶縁性の樹脂材によって一体形成される。
【００２７】
ベース部３１は、バッテリー筐体１０１のポスト立設面１０５に設けられたバッテリーポスト１０２にバッテリー端子１１０が締結された状態でポスト立設面１０５とバッテリー端子１１０との間に介在する部分である。ベース部３１は、バッテリーポスト１０２の周りに設けられる。ここでは、ベース部３１は、矩形板状に形成され、バッテリーポスト１０２が挿入されるポスト挿入孔３１ａが形成される。ポスト挿入孔３１ａは、バッテリー１００等で許容される公差等を踏まえてバッテリーポスト１０２よりも十分に大きく形成される。ベース部３１は、ポスト挿入孔３１ａにバッテリーポスト１０２が挿入された状態でポスト立設面１０５の凹部１０６内に配置可能な大きさ、形状で形成される。なお、ベース部３１は、ポスト挿入孔３１ａにかえて、バッテリーポスト１０２が貫通可能なポスト挿入切り欠きを備える構成であってもよい。
【００２８】
保持部３２は、ベース部３１と連接されヒュージブルリンク２をポスト立設面１０５に保持するものである。保持部３２は、略矩形板状に形成された底面３２ａと、この底面３２ａの周縁を囲うように立設される側壁３２ｂとを有し、これらが一体となってトレイ状（皿状）に形成される。側壁３２ｂは、底面３２ａの４方を囲うように軸方向一方側、ここではプロテクタ３がバッテリー１００のポスト立設面１０５上に組み付けられた状態（以下、単に「組み付け状態」という場合がある。）で鉛直方向上側に向けて突出するようにして立設される。なお、側壁３２ｂは、例えば、ヒュージブルリンク２に接続される端子やコネクタの形状等に応じて所定の箇所が切り欠かれていてもよい。保持部３２は、底面３２ａと側壁３２ｂとによってヒュージブルリンク２を収容し保持するための収容空間部３２ｃが区画される。収容空間部３２ｃは、プロテクタ３がバッテリー１００のポスト立設面１０５上に組み付けられた状態で、鉛直方向上側に開口する。収容空間部３２ｃは、ヒュージブルリンク２が嵌合する大きさ、形状に形成される。また、保持部３２は、側壁３２ｂの先端部（組み付け状態で鉛直方向上側の端部）に複数の係止爪部３２ｄが形成される。係止爪部３２ｄは、側壁３２ｂの先端部が曲がったようなフック状、あるいは、鉤状に形成される（図７等参照）。保持部３２は、ヒュージブルリンク２が収容空間部３２ｃに嵌合された状態で、この複数の係止爪部３２ｄがヒュージブルリンク２のハウジング２３の外縁部における所定の位置に係合することで、当該ヒュージブルリンク２を収容空間部３２ｃに係止しロックすることができる。
【００２９】
そして、上記のように構成される本実施形態の保持部３２は、長辺方向に対してベース部３１と隣接するようにして、当該ベース部３１と一体で形成される。保持部３２は、ベース部３１側の側壁３２ｂがポスト立設面１０５上の凹部１０６による段差に対応するように鉛直方向下側に延在し、当該側壁３２ｂの下端部でベース部３１と連続する。保持部３２は、このプロテクタ３が、ベース部３１のポスト挿入孔３１ａ内にバッテリーポスト１０２が挿入され、当該ベース部３１が凹部１０６内に位置するような位置関係でバッテリー１００に組み付けられた状態で、少なくとも一部がポスト立設面１０５上に位置し、当該ポスト立設面１０５上にヒュージブルリンク２を載置し、保持する。保持部３２は、組み付け状態で、底面３２ａの背面側（収容空間部３２ｃとは反対側の面）がポスト立設面１０５に当接して載置される。したがって、プロテクタ３は、ヒュージブルリンク２の荷重を、当該保持部３２を介してポスト立設面１０５上で受けることとなる。
【００３０】
係止機構４は、上記のように構成されるプロテクタ３をポスト立設面１０５上に係止するものである。本実施形態の係止機構４は、バッテリー筐体１０１と係合することでプロテクタ３をポスト立設面１０５上に係止する係止爪部４１、４２を含んで構成される。係止爪部４１、４２は、複数、ここでは２つが設けられ、バッテリー筐体１０１の複数の面、ここでは、バッテリー筐体１０１において互いに直交する２面に係合する。係止爪部４１、４２は、それぞれ組み付け状態で鉛直方向に沿って延在する板状部（アーム部）４１ａ、４２ａを介してプロテクタ３のベース部３１、及び、保持部３２と一体で形成される。板状部４１ａ、４２ａは、組み付け状態においてベース部３１、保持部３２から鉛直方向下側に向けて延在し、ベース部３１、保持部３２と一体で形成される。
【００３１】
係止爪部４１及び板状部４１ａは、組み付け状態でバッテリー筐体１０１の蓋部材１０４の長辺方向に沿った側面、ここでは、蓋部材１０４のポスト立設面１０５に形成された凹部１０６近傍の長辺方向に沿った側面と対向する位置に形成される。係止爪部４１及び板状部４１ａは、ベース部３１と保持部３２とに渡って長辺方向に沿って延在して形成される。係止爪部４２及び板状部４２ａは、組み付け状態でバッテリー筐体１０１の蓋部材１０４の短辺方向に沿った側面、ここでは、蓋部材１０４のポスト立設面１０５に形成された凹部１０６近傍の短辺方向に沿った側面と対向する位置に形成される。係止爪部４２及び板状部４２ａは、ベース部３１において短辺方向に沿って延在して形成される。
【００３２】
係止爪部４１、４２は、それぞれ板状部４１ａ、４２ａの先端部（プロテクタ３がバッテリー１００のポスト立設面１０５上に組み付けられた状態で鉛直方向下側の端部）が曲がったようなフック状、あるいは、鉤状に形成される（図４、図５、図７等参照）。ここでは、係止爪部４１、４２は、バッテリー筐体１０１において、蓋部材１０４の縁部の鉛直方向下端面と係合する。係止機構４は、プロテクタ３がバッテリー１００のポスト立設面１０５上に組み付けられた状態でこの係止爪部４１、４２が蓋部材１０４の鉛直方向下端面の所定の位置に係合することで、プロテクタ３をポスト立設面１０５上に係止しロックすることができる。
【００３３】
連結バスバー５は、導電性を有する板状の導体であり、ヒューズエレメント２１とバッテリー端子１１０とを電気的に接続するものである。連結バスバー５は、板状の金属バスバーであり、ポスト立設面１０５上の凹部１０６による段差に対応するように段差部５ａが形成されると共に、両端部にボルト孔５ｂ、５ｃが形成される。連結バスバー５は、ボルト孔５ｂに電源側端子２１ａのスタッドボルト２２が挿入されてナットが締結され、ボルト孔５ｃにバッテリー端子１１０のスタッドボルト１１２が挿入されてナットが締結されることで、電源側端子２１ａのスタッドボルト２２とバッテリー端子１１０のスタッドボルト１１２の軸部とを電気的に接続する。
【００３４】
上記のようにして構成されるヒューズユニット１は、ヒュージブルリンク２がプロテクタ３の保持部３２の収容空間部３２ｃ内に嵌合され、複数の係止爪部３２ｄがヒュージブルリンク２のハウジング２３に係合することで、当該ヒュージブルリンク２が収容空間部３２ｃに係止されロックされる。そして、ヒューズユニット１は、プロテクタ３のベース部３１のポスト挿入孔３１ａ内にバッテリーポスト１０２が挿入され、当該ベース部３１が凹部１０６内に位置するような位置関係で、プロテクタ３がヒュージブルリンク２と共にバッテリー１００のポスト立設面１０５上に組み付けられる。このとき、ヒューズユニット１は、係止機構４の係止爪部４１、４２が蓋部材１０４の鉛直方向下端面に係合することで、ヒュージブルリンク２と共にプロテクタ３をポスト立設面１０５上に係止しロックすることができる。
【００３５】
このようにして、ヒューズユニット１は、少なくともプロテクタ３の一部がバッテリー１００のポスト立設面１０５上に位置し、当該ポスト立設面１０５上にヒュージブルリンク２を載置し、保持することができる。そして、ヒューズユニット１は、バッテリー端子１１０がバッテリーポスト１０２に組み付けられた後、ヒューズエレメント２１の電源側端子２１ａのスタッドボルト２２とバッテリー端子１１０とを接続するようにして連結バスバー５が設けられ、各部のボルト、ナット等が締め付けられる。この結果、バッテリー端子１１０は、バッテリーポスト１０２に締結されると共に、当該バッテリー端子１１０とヒュージブルリンク２とが接続される。このとき、連結バスバー５は、バッテリーポスト１０２に対するバッテリー端子１１０の組み付け角度を規制する規制部材としても機能する。
【００３６】
なおここでは、ヒュージブルリンク２をプロテクタ３に組み付けた後にヒュージブルリンク２と共にプロテクタ３をポスト立設面１０５上に組み付けるものとして説明したが、これに限らず、プロテクタ３をポスト立設面１０５上に組み付けた後に、プロテクタ３にヒュージブルリンク２を組み付けてもよい。また、バッテリー端子１１０のスタッドボルト１１２には、連結バスバー５と共に上述の電線１１４の末端に設けられた端子１１５等も接続される。
【００３７】
以上で説明したヒューズユニット１によれば、バッテリー端子１１０と接続され過電流が流れたときに可溶体２１ｃが溶断するヒュージブルリンク２と、プロテクタ３とを備える。プロテクタ３は、バッテリー筐体１０１のポスト立設面１０５に設けられたバッテリーポスト１０２にバッテリー端子１１０が締結された状態でポスト立設面１０５とバッテリー端子１１０との間に介在するベース部３１と、ベース部３１と連接されヒュージブルリンク２をポスト立設面１０５に保持する保持部３２とを有する。
【００３８】
したがって、ヒューズユニット１は、プロテクタ３のベース部３１と連接された保持部３２によってヒュージブルリンク２をバッテリー筐体１０１のポスト立設面１０５に保持し、当該ポスト立設面１０５でヒュージブルリンク２の荷重を受けることで、ヒューズユニット１からバッテリー端子１１０に作用する荷重を抑制することができるので、バッテリーポスト１０２に作用する荷重を抑制することができる。また、ヒューズユニット１は、バッテリー筐体１０１の側面側の周囲に当該ヒューズユニット１を設置するためのスペースが確保できないような場合に、バッテリー筐体１０１のポスト立設面１０５（鉛直方向上面）上に設置スペースを確保しヒュージブルリンク２を配置することができるので、適切にヒュージブルリンク２を設けることができる。
【００３９】
また、上記で説明したヒューズユニット１は、プロテクタ３とバッテリー端子１１０とを別体でバッテリー１００に組み付けることができるので、例えば、バッテリー１００等で許容される公差等にかかわらず、適正にバッテリー端子１１０をバッテリーポスト１０２に締結することができる。
【００４０】
さらに、以上で説明したヒューズユニット１によれば、プロテクタ３をポスト立設面１０５上に係止する係止機構４を備える。したがって、ヒューズユニット１は、係止機構４によって、プロテクタ３をヒュージブルリンク２と共にポスト立設面１０５上に確実に組み付けることができる。
【００４１】
さらに、以上で説明したヒューズユニット１によれば、係止機構４は、バッテリー筐体１０１と係合することでプロテクタ３をポスト立設面１０５上に係止する係止爪部４１、４２を含んで構成される。したがって、ヒューズユニット１は、係止爪部４１、４２がバッテリー筐体１０１と係合することで、プロテクタ３をヒュージブルリンク２と共にポスト立設面１０５上に係止することができる。
【００４２】
さらに、以上で説明したヒューズユニット１によれば、係止爪部４１、４２は、複数設けられ、バッテリー筐体１０１の複数の面に係合する。したがって、ヒューズユニット１は、係止爪部４１、４２がバッテリー筐体１０１の複数の面に係合してプロテクタ３をポスト立設面１０５上に係止することができるので、より確実にプロテクタ３をポスト立設面１０５上に組み付けることができる。
【００４３】
［実施形態２］
図８は、実施形態２に係るヒューズユニットが適用されるバッテリーの概略構成を表す斜視図である。図９は、実施形態２に係るヒューズユニットの概略構成を表す分解斜視図である。図１０は、実施形態２に係るヒューズユニットの概略構成を表す平面図である。図１１は、図１０中のＡ２−Ａ２断面図である。図１２は、図１０中のＢ２−Ｂ２断面図である。図１３は、図１０中のＣ２−Ｃ２断面図である。図１４は、図１０中のＤ２−Ｄ２断面図である。なお、図９は、説明をわかりやすくするため、実際にはインサート成形によってハウジングの内部に埋設されるヒューズエレメント、スタッドボルトを分解して模式的に図示している。実施形態２に係るヒューズユニットは、さらに、装着部を備える点で実施形態１とは異なる。その他、上述した実施形態と共通する構成、作用、効果については、重複した説明はできるだけ省略する。
【００４４】
本実施形態に係るヒューズユニット２０１は、図８、図９、図１０、図１１、図１２、図１３、図１４に示すように、ヒュージブルリンク２と、保持機構としてのプロテクタ３と、係止機構４と、連結バスバー５とを備える。
【００４５】
そして、本実施形態のプロテクタ３は、さらに、ベース部３１に、バッテリー端子１１０が装着される装着部２３３を有する。装着部２３３は、ベース部３１において、バッテリー端子１１０をバッテリーポスト１０２に締結可能な位置に装着するものである。本実施形態の装着部２３３は、係合爪部２３３ａと、この係合爪部２３３ａと係合する蓋部２３３ｂとを含んで構成される（図９、図１１等参照）。係合爪部２３３ａは、ベース部３１において、長辺方向に対してポスト挿入孔３１ａを挟んで一対で設けられる。蓋部２３３ｂは、バッテリー端子１１０の環状部１１１ａ近傍を覆うものである。蓋部２３３ｂは、バッテリー端子１１０のポスト挿入孔１１１ｃとほぼ同様の形状の貫通孔が形成されると共に、当該貫通孔の両脇に上述の係合爪部２３３ａと係合可能であるロック部２３３ｃが形成されている（図９等参照）。装着部２３３は、ベース部３１と蓋部２３３ｂとの間にバッテリー端子１１０を挟み込んだ状態で、蓋部２３３ｂの各ロック部２３３ｃがベース部３１上の係合爪部２３３ａと係合することで、バッテリー端子１１０をベース部３１の所定の位置に装着し係止することができる。装着部２３３は、ベース部３１のポスト挿入孔３１ａ内にバッテリーポスト１０２が挿入された状態で、バッテリー端子１１０のポスト挿入孔１１１ｃにバッテリーポスト１０２が挿入されるような位置関係となるように、各係合爪部２３３ａと蓋部２３３ｂとが設けられる。
【００４６】
上記のようにして構成されるヒューズユニット２０１は、ヒュージブルリンク２がプロテクタ３の保持部３２の収容空間部３２ｃ内に嵌合され、複数の係止爪部３２ｄがヒュージブルリンク２のハウジング２３に係合することで、当該ヒュージブルリンク２が収容空間部３２ｃに係止されロックされる。そして、ヒューズユニット２０１は、ベース部３１に設けられた装着部２３３にバッテリー端子１１０が装着され、この状態でプロテクタ３のベース部３１のポスト挿入孔３１ａ内、及び、バッテリー端子１１０のポスト挿入孔１１１ｃ内にバッテリーポスト１０２が挿入され、当該ベース部３１が凹部１０６内に位置するような位置関係で、プロテクタ３がヒュージブルリンク２と共にバッテリー１００のポスト立設面１０５上に組み付けられる。このとき、ヒューズユニット２０１は、係止機構４の係止爪部４１、４２が蓋部材１０４の鉛直方向下端面に係合することで、ヒュージブルリンク２と共にプロテクタ３をポスト立設面１０５上に係止しロックすることができる。
【００４７】
このようにして、ヒューズユニット２０１は、少なくともプロテクタ３の一部がバッテリー１００のポスト立設面１０５上に位置し、当該ポスト立設面１０５上にヒュージブルリンク２を載置し、保持することができる。そして、ヒューズユニット２０１は、ヒューズエレメント２１の電源側端子２１ａのスタッドボルト２２とバッテリー端子１１０とを接続するようにして連結バスバー５が設けられ、各部のボルト、ナット等が締め付けられる。この結果、バッテリー端子１１０は、バッテリーポスト１０２に締結されると共に、当該バッテリー端子１１０とヒュージブルリンク２とが接続される。
【００４８】
以上で説明したヒューズユニット２０１は、プロテクタ３のベース部３１と連接された保持部３２によってヒュージブルリンク２をバッテリー筐体１０１のポスト立設面１０５に保持し、当該ポスト立設面１０５でヒュージブルリンク２の荷重を受けることで、ヒューズユニット２０１からバッテリー端子１１０に作用する荷重を抑制することができるので、バッテリーポスト１０２に作用する荷重を抑制することができる。また、ヒューズユニット２０１は、バッテリー筐体１０１の側面側の周囲に当該ヒューズユニット２０１を設置するためのスペースが確保できないような場合に、バッテリー筐体１０１のポスト立設面１０５（鉛直方向上面）上に設置スペースを確保しヒュージブルリンク２を配置することができるので、適切にヒュージブルリンク２を設けることができる。
【００４９】
さらに、以上で説明したヒューズユニット２０１によれば、プロテクタ３は、ベース部３１において、バッテリー端子１１０をバッテリーポスト１０２に締結可能な位置に装着する装着部２３３を有する。したがって、ヒューズユニット２０１は、装着部２３３にバッテリー端子１１０を装着した状態でプロテクタ３と当該バッテリー端子１１０とを一体でバッテリー１００に組み付けることができるので、組み付け時の作業工数を削減することができ、組み付け作業性を向上することができる。
【００５０】
また、このヒューズユニット２０１は、プロテクタ３とバッテリー端子１１０とを一体でバッテリー１００に組み付けることができるので、当該プロテクタ３に一体で形成された係止爪部４１、４２、板状部４１ａ、４２ａを、バッテリーポスト１０２に対するバッテリー端子１１０の組み付け角度を規制する規制部材としても兼用することができる。つまり、ヒューズユニット２０１は、係止爪部４１、４２、板状部４１ａ、４２ａがバッテリー端子１１０のバッテリーポスト１０２周り方向の回転を所定の範囲で規制するストッパとしても機能することで、バッテリーポスト１０２に対するバッテリー端子１１０の組み付け角度の許容範囲を相対的に狭い範囲に限定することができるので、バッテリーポスト１０２に対するバッテリー端子１１０の組み付け精度を向上することができる。
【００５１】
なお、以上で説明した装着部２３３は、上記で説明した形式に限らない。例えば、装着部２３３は、一対の係合爪部２３３ａとロック部２３３ｃとを２組備えるが、一方の組にかえてヒンジを介してベース部３１と蓋部２３３ｂとが一体になるように構成されてもよい。この場合、装着部２３３は、ベース部３１と蓋部２３３ｂとの間にバッテリー端子１１０を保持した状態、すなわち、閉状態で、ロック部２３３ｃが係合爪部２３３ａと係合することで、当該蓋部２３３ｂの開放が規制され、これにより、バッテリー端子１１０をベース部３１の所定の位置に装着し係止することができる。また、装着部２３３は、蓋部２３３ｂ等を備えない構成であってもよい。この場合、装着部２３３は、例えば、バッテリー端子１１０又はベース部３１の一方に形成された凹部に、他方に形成されたロック形状付きの突起部が嵌合しロックされることで、バッテリー端子１１０をベース部３１の所定の位置に装着し係止する形式であってもよい。
【００５２】
［実施形態３］
図１５は、実施形態３に係るヒューズユニットの端子位置決め機構近傍の部分平面図である。図１６は、図１５中のＡ３−Ａ３断面図である。図１７は、図１５中のＢ３−Ｂ３断面図である。図１８は、実施形態３に係るヒューズユニットのプロテクタのベース部近傍の部分平面図である。図１９は、実施形態３に係るヒューズユニットの端子ベースの平面図である。図２０は、図１９中のＡ４矢視図である。図２１は、図１９中のＢ４矢視図である。図２２は、変形例に係るヒューズユニットのプロテクタのベース部近傍の部分平面図である。図２３は、変形例に係るヒューズユニットのプロテクタのベース部近傍の部分平面図である。実施形態３に係るヒューズユニットは、さらに、端子位置決め機構を備える点で実施形態１とは異なる。その他、上述した実施形態と共通する構成、作用、効果については、重複した説明はできるだけ省略し、概略構成については、適宜他図を参照する。
【００５３】
本実施形態に係るヒューズユニット３０１は、図１５、図１６、図１７、図１８、図１９、図２０、図２１に示すように、上述したヒュージブルリンク２（図１等参照）と、保持機構としてのプロテクタ３（図１等参照）と、係止機構４（図１等参照）と、連結バスバー５（図１等参照）とに加えて、さらに、端子位置決め機構３０６を備える。なお、本実施形のヒューズユニット３０１は、例えば、図２等に図示されているベース部３１上の突起形状は不要である。
【００５４】
端子位置決め機構３０６は、バッテリー端子１１０をプロテクタ３のベース部３１上の所定の位置に位置決めするものである。端子位置決め機構３０６は、バッテリー端子１１０側又はベース部３１側の一方に設けられる複数の凹部３０６ａ、３０６ｂ、３０６ｃ（図１８等参照）と、バッテリー端子１１０側又はベース部３１側の他方に設けられ複数の凹部３０６ａ、３０６ｂ、３０６ｃのいずれかと嵌合する凸部３０６ｄ、３０６ｅ（図２０、図２１等参照）とを有する。ここでは、複数の凹部３０６ａ、３０６ｂ、３０６ｃは、ベース部３１に設けられ、凸部３０６ｄ、３０６ｅは、バッテリー端子１１０に対して一体的に組み付けられる端子ベース３０７に設けられる。端子位置決め機構３０６は、ベース部３１において、バッテリー端子１１０をバッテリーポスト１０２に締結可能な位置に位置決めする。
【００５５】
複数の凹部３０６ａ、３０６ｂ、３０６ｃは、図１６、図１７、図１８に示すように、バッテリー端子１１０をベース部３１上の所定の位置に位置決めするためにベース部３１に設けられるものである。ここでは、複数の凹部３０６ａ、３０６ｂ、３０６ｃは、ベース部３１を貫通した孔部となっているがこれに限らず、有底の溝部（穴部）であってもよい。
【００５６】
複数の凹部３０６ａ、３０６ｂ、３０６ｃのうち凹部３０６ａ、３０６ｂは、バッテリー端子１１０をベース部３１上で短辺方向に対して位置決めするための凹部である。ここでは、凹部３０６ａ、３０６ｂは、ともに長辺方向に沿った長円状に形成され、短辺方向に対して所定の間隔をあけて並んで設けられている。凹部３０６ａと凹部３０６ｂとの短辺方向の間隔は、バッテリー１００等で許容される公差等に応じて設定されればよく、例えば、公差に応じて生じうるバッテリーポスト１０２の短辺方向への位置ズレに対応できるように設定される。なおここでは、バッテリー端子１１０をベース部３１上で短辺方向に対して位置決めするための凹部は、凹部３０６ａ、３０６ｂの２つが設けられるものとして説明するが、公差に応じて生じうるバッテリーポスト１０２の短辺方向への位置ズレに対応すべく、さらに多くの凹部が設けられてもよい。
【００５７】
複数の凹部３０６ａ、３０６ｂ、３０６ｃのうち凹部３０６ｃは、バッテリー端子１１０をベース部３１上で長辺方向に対して位置決めするための凹部である。ここでは、凹部３０６ｃは、短辺方向に沿った長円状に形成される。凹部３０６ｃの短辺方向に沿った長さは、上述の凹部３０６ａと凹部３０６ｂとの短辺方向の間隔と同様に、バッテリー１００等で許容される公差等に応じて設定されればよく、例えば、公差に応じて生じうるバッテリーポスト１０２の短辺方向への位置ズレに対応できるように設定される。
【００５８】
凸部３０６ｄ、３０６ｅは、図１６、図１７、図１９、図２０、図２１に示すように、バッテリー端子１１０をベース部３１上の所定の位置に位置決めするために端子ベース３０７に設けられる。
【００５９】
ここで、端子ベース３０７は、バッテリー端子１１０に対して一体的に組み付けられる板状の部材であり、当該バッテリー端子１１０とプロテクタ３のベース部３１との間に介在するものである。端子ベース３０７は、バッテリー端子１１０が組み付けられる組付部３０７ａと、当該組付部３０７ａにバッテリー端子１１０が一体的に組み付けられた状態で、ポスト挿入孔１１１ｃと対向する位置に形成されるポスト挿入孔３０７ｂとを含んで構成される。組付部３０７ａは、例えば、係合爪部３０７ｃ（図１９等参照）と、この係合爪部３０７ｃと係合する蓋部３０７ｄ（図１５等参照）とを含んで構成される。係合爪部３０７ｃは、端子ベース３０７を構成する板状部材に設けられる。蓋部３０７ｄは、バッテリー端子１１０の環状部１１１ａ近傍を覆うものである。蓋部３０７ｄは、バッテリー端子１１０のポスト挿入孔１１１ｃとほぼ同様の曲率の半円形状の切り欠き部が形成されると共に、当該切り欠き部の一方側が端子ベース３０７を構成する板状部材にヒンジ等を介して連結され、当該切り欠き部の他方側に係合爪部３０７ｃと係合可能であるロック部３０７ｅ（図１５、図２１等参照）が形成されている。組付部３０７ａは、端子ベース３０７を構成する板状部材と蓋部３０７ｄとの間にバッテリー端子１１０を挟み込んだ状態で、蓋部３０７ｄのロック部３０７ｅが係合爪部３０７ｃと係合することで、バッテリー端子１１０と端子ベース３０７とを一体的に組み付ける。ポスト挿入孔３０７ｂは、端子ベース３０７を構成する板状部材において、組付部３０７ａにバッテリー端子１１０が一体的に組み付けられた状態で、ポスト挿入孔１１１ｃと対向する位置に、ポスト挿入孔１１１ｃと同等の大きさ、形状で形成される。また、この状態で、上述の蓋部３０７ｄの切り欠き部もポスト挿入孔１１１ｃと対向する。
【００６０】
そして、本実施形態の凸部３０６ｄ、３０６ｅは、端子ベース３０７のバッテリー端子１１０が設けられる側とは反対側の面から突出するようにして形成される（図２０、図２１等参照）。凸部３０６ｄ、３０６ｅのうち凸部３０６ｄは、バッテリー端子１１０をベース部３１上で短辺方向に対して位置決めするための凸部である。ここでは、凸部３０６ｄは、断面形状が長辺方向に沿った長円状の突出部として形成され、上述した凹部３０６ａ、３０６ｂに嵌合可能な大きさ、形状に形成される。凸部３０６ｄ、３０６ｅのうち凸部３０６ｅは、バッテリー端子１１０をベース部３１上で長辺方向に対して位置決めするための凸部である。ここでは、凸部３０６ｅは、断面形状が短辺方向に沿った長円状の突出部として形成され、上述した凹部３０６ｃに嵌合可能で、かつ、当該凹部３０６ｃに嵌合した状態で短辺方向に沿って移動可能な大きさ、形状に形成される。ここで、凸部３０６ｅが短辺方向に沿って移動可能な距離は、上述の凹部３０６ｃの短辺方向に沿った長さ、凹部３０６ａと凹部３０６ｂとの短辺方向の間隔と同様に、バッテリー１００等で許容される公差等に応じて設定されればよく、例えば、公差に応じて生じうるバッテリーポスト１０２の短辺方向への位置ズレに対応できるように設定される。
【００６１】
上記のように構成される端子位置決め機構３０６は、ベース部３１のポスト挿入孔３１ａ内にバッテリーポスト１０２が挿入された状態で、バッテリー端子１１０のポスト挿入孔１１１ｃにバッテリーポスト１０２が挿入されるような位置関係となるように、凹部３０６ａ、３０６ｂ、３０６ｃと凸部３０６ｄ、３０６ｅとが設けられる。この結果、端子位置決め機構３０６は、凸部３０６ｄが凹部３０６ａ、３０６ｂのいずれかと嵌合し（図１７参照）、凸部３０６ｅが凹部３０６ｃと嵌合する（図１６参照）ことで、バッテリー端子１１０をベース部３１上の適正な位置、すなわち、ベース部３１のポスト挿入孔３１ａ内、及び、バッテリー端子１１０のポスト挿入孔１１１ｃ内にバッテリーポスト１０２を挿入可能な位置に位置決めすることができる。
【００６２】
このとき、端子位置決め機構３０６は、凸部３０６ｄが凹部３０６ａ、３０６ｂのいずれか一方と選択的に嵌合することで、バッテリー１００等で許容される公差等に応じて生じうるバッテリーポスト１０２の短辺方向への位置ズレに対応して、バッテリー端子１１０をベース部３１上の適正な位置に位置決めすることができる。言い換えれば、端子位置決め機構３０６は、バッテリーポスト１０２の短辺方向への位置ズレを許容しつつ、バッテリー端子１１０をベース部３１上の適正な位置に位置決めすることができる。さらに言い換えれば、端子位置決め機構３０６は、バッテリーポスト１０２の短辺方向への位置ズレを許容しつつ、当該位置ズレに合わせて、バッテリー端子１１０のベース部３１上の位置決め位置を、適宜適正な位置に変更することができる。なおこの場合、上述の凸部３０６ｅは、凹部３０６ｃに嵌合した状態で短辺方向に沿って移動可能な構成となっていることから、凸部３０６ｄが凹部３０６ａ、３０６ｂのいずれと嵌合した場合であっても、凸部３０６ｅがバッテリー端子１１０とベース部３１との短辺方向への相対変位（言い換えれば、位置決め位置の調整）の妨げとはならない。
【００６３】
以上で説明したヒューズユニット３０１は、プロテクタ３のベース部３１と連接された保持部３２によってヒュージブルリンク２をバッテリー筐体１０１のポスト立設面１０５に保持し、当該ポスト立設面１０５でヒュージブルリンク２の荷重を受けることで、ヒューズユニット３０１からバッテリー端子１１０に作用する荷重を抑制することができるので、バッテリーポスト１０２に作用する荷重を抑制することができる。また、ヒューズユニット３０１は、バッテリー筐体１０１の側面側の周囲に当該ヒューズユニット３０１を設置するためのスペースが確保できないような場合に、バッテリー筐体１０１のポスト立設面１０５（鉛直方向上面）上に設置スペースを確保しヒュージブルリンク２を配置することができるので、適切にヒュージブルリンク２を設けることができる。
【００６４】
さらに、以上で説明したヒューズユニット３０１によれば、バッテリー端子１１０側又はベース部３１側の一方に設けられる複数の凹部３０６ａ、３０６ｂ、３０６ｃと、バッテリー端子１１０側又はベース部３１側の他方に設けられ複数の凹部３０６ａ、３０６ｂ、３０６ｃのいずれかと嵌合する凸部３０６ｄ、３０６ｅとを有し、ベース部３１において、バッテリー端子１１０をバッテリーポスト１０２に締結可能な位置に位置決めする端子位置決め機構３０６を備える。したがって、端子位置決め機構３０６は、凸部３０６ｄ、３０６ｅが凹部３０６ａ、３０６ｂ、３０６ｃのいずれかと嵌合することで、バッテリー端子１１０をベース部３１上の適正な位置、すなわち、バッテリー端子１１０をバッテリーポスト１０２に締結可能な位置に位置決めすることができる。またこのとき、端子位置決め機構３０６は、凸部３０６ｄ、３０６ｅが嵌合する凹部３０６ａ、３０６ｂ、３０６ｃが適宜選択されることで、バッテリー１００等で許容される公差等に応じて生じうるバッテリーポスト１０２の位置ズレに対応して、バッテリー端子１１０をベース部３１上の適正な位置に微調整して位置決めすることができる。
【００６５】
なお、以上で説明した端子位置決め機構３０６は、少なくとも凹部３０６ａと凹部３０６ｂとが短辺方向に並んで設けられることで、公差等によるバッテリーポスト１０２の短辺方向への位置ズレに対応できる構成としたが、さらに、バッテリーポスト１０２の長辺方向への位置ズレに対応できる構成とすることもできる。
【００６６】
図２２に例示するように変形例に係る端子位置決め機構３０６Ａは、上述の端子位置決め機構３０６の構成に加えて、さらに、例えば、長辺方向に対して凹部３０６ｃと所定の間隔をあけて並んで設けられる凹部３０６ｆを有する。凹部３０６ｆは、凹部３０６ｃと同様の大きさ、形状で形成される。凹部３０６ｃと凹部３０６ｆとの長辺方向の間隔は、バッテリー１００等で許容される公差等に応じて設定されればよく、例えば、公差に応じて生じうるバッテリーポスト１０２の長辺方向への位置ズレに対応できるように設定される。そしてこの場合、凸部３０６ｄは、凹部３０６ａ、３０６ｂに嵌合可能で、かつ、当該凹部３０６ａ、３０６ｂに嵌合した状態で長辺方向に沿って移動可能な大きさ、形状に形成され、これにより、当該凸部３０６ｄがバッテリー端子１１０とベース部３１との長辺方向への相対変位（言い換えれば、位置決め位置の調整）の妨げとはならない構成としている。
【００６７】
この場合、端子位置決め機構３０６Ａは、バッテリー１００等で許容される公差等に応じて生じうるバッテリーポスト１０２の短辺方向への位置ズレに加えて、さらに、凸部３０６ｅが凹部３０６ｃ、３０６ｆのいずれか一方と選択的に嵌合することで、長辺方向への位置ズレにも対応してバッテリー端子１１０をベース部３１上の適正な位置に位置決めすることができる。言い換えれば、端子位置決め機構３０６Ａは、さらに、バッテリーポスト１０２の長辺方向への位置ズレを許容しつつ、バッテリー端子１１０をベース部３１上の適正な位置に位置決めすることができる。さらに言い換えれば、端子位置決め機構３０６Ａは、バッテリーポスト１０２の長辺方向への位置ズレを許容しつつ、当該位置ズレに合わせて、バッテリー端子１１０のベース部３１上の位置決め位置を、適宜適正な位置に変更することができる。
【００６８】
また、以上で説明した端子位置決め機構３０６、３０６Ａは、バッテリーポスト１０２の位置ズレに対応できる構成と、バッテリー端子１１０とベース部３１との相対変位（言い換えれば、位置決め位置の調整）の妨げとはならない構成とを他の構成によって実現することもできる。
【００６９】
図２３に例示するように変形例に係る端子位置決め機構３０６Ｂは、上述の端子位置決め機構３０６Ａの凹部３０６ａ、３０６ｂにかえて、複数の凹部３０６ｇを有する。ここでは、複数の凹部３０６ｇは、正円状に形成されると共に、長辺方向、及び、短辺方向に対してそれぞれ所定の間隔をあけて格子状に並んで設けられている。ここでは、複数の凹部３０６ｇは、短辺方向対して３列、長辺方向に対して２列、合計６つが設けられる。複数の凹部３０６ｇの相互の間隔は、バッテリー１００等で許容される公差等に応じて設定されればよく、例えば、公差に応じて生じうるバッテリーポスト１０２の長辺方向、短辺方向への位置ズレに対応できるように設定される。この場合、複数の凹部３０６ｇと嵌合する凸部３０６ｄは、凹部３０６ｇの形状に合わせて略円柱状に形成される。
【００７０】
この場合、端子位置決め機構３０６Ｂは、凸部３０６ｅが凹部３０６ｃ、３０６ｆのいずれか一方と選択的に嵌合し、凸部３０６ｄが複数の凹部３０６ｇのいずれか一方と選択的に嵌合することで、バッテリー１００等で許容される公差等に応じて生じうるバッテリーポスト１０２の長辺方向、及び、短辺方向への位置ズレに対応して、バッテリー端子１１０をベース部３１上の適正な位置に位置決めすることができる。このとき、端子位置決め機構３０６Ｂは、凸部３０６ｅが凹部３０６ｃに嵌合した場合、凸部３０６ｄが複数の凹部３０６ｇのうち、図２３中、向かって左側の列の凹部３０６ｇのいずれかと嵌合する一方、凸部３０６ｅが凹部３０６ｆに嵌合した場合、凸部３０６ｄが複数の凹部３０６ｇのうち、図２３中、向かって右側の列の凹部３０６ｇのいずれかと嵌合する。この結果、端子位置決め機構３０６Ｂは、バッテリーポスト１０２の位置ズレに対応できる構成と、バッテリー端子１１０とベース部３１との相対変位（言い換えれば、位置決め位置の調整）の妨げとはならない構成とを実現することができる。なお、この端子位置決め機構３０６Ｂでは、バッテリー端子１１０とベース部３１との短辺方向への相対変位（言い換えれば、位置決め位置の調整）の妨げとはならない構成については上述の端子位置決め機構３０６Ａと同様であるが、凹部３０６ｃ、３０６ｆについても、複数の凹部３０６ｇと同様の構成に置き換えることができる。
【００７１】
なお、以上の説明では、複数の凹部３０６ａ、３０６ｂ、３０６ｃは、ベース部３１に設けられ、凸部３０６ｄ、３０６ｅは、端子ベース３０７に設けられるものとして説明したが、複数の凹部３０６ａ、３０６ｂ、３０６ｃが端子ベース３０７に設けられ、凸部３０６ｄ、３０６ｅがベース部３１に設けられてもよい。
【００７２】
また、以上の説明では、凸部３０６ｄ、３０６ｅは、バッテリー端子１１０に対して一体的に組み付けられる端子ベース３０７に設けられるものとして説明したが、当該端子ベース３０７を介さずにバッテリー端子１１０に直接的に設けられてもよい。
【００７３】
また、以上で説明した端子位置決め機構３０６、３０６Ａ、３０６Ｂを上述したヒューズユニット２０１に適用してもよい。この場合、装着部２３３は、例えば、バッテリー端子１１０又はベース部３１の一方に形成された凹部に、他方に形成されたロック形状付きの突起部が嵌合しロックされることで、バッテリー端子１１０をベース部３１の所定の位置に装着し係止する形式で構成され、上記凹部を複数設けて端子位置決め機構の凹部として兼用し、ロック形状付きの突起部を端子位置決め機構の凸部として兼用すればよい。この場合、ヒューズユニット２０１は、例えば、バッテリー端子１１０の形状やバッテリーポスト１０２の位置等に応じてバッテリー端子１１０とベース部３１との相対位置関係を微調整した上で、バッテリー端子１１０をベース部３１上に位置決めすることができるので汎用性を向上することができる。
【００７４】
［実施形態４］
図２４は、実施形態４に係るヒューズユニットが適用されるバッテリーの概略構成を表す斜視図である。図２５は、実施形態４に係るヒューズユニットの係合爪部を含む部分断面図である。図２６は、変形例に係るヒューズユニットが適用されるバッテリーの概略構成を表す斜視図である。実施形態４に係るヒューズユニットは、係止機構の係合爪部が設けられる位置が実施形態１とは異なる。その他、上述した実施形態と共通する構成、作用、効果については、重複した説明はできるだけ省略し、概略構成については、適宜他図を参照する。
【００７５】
本実施形態に係るヒューズユニット４０１は、図２４、図２５に示すように、上述したヒュージブルリンク２と、保持機構としてのプロテクタ３と、係止機構４０４と、連結バスバー５とを備える。
【００７６】
そして、係止機構４０４は、プロテクタ３をポスト立設面１０５上に係止するものである。本実施形態の係止機構４０４は、バッテリー筐体１０１と係合することでプロテクタ３をポスト立設面１０５上に係止する係止爪部４２、４４３を含んで構成される。つまり、本実施形態の係止機構４０４は、上述の係止爪部４１にかえて係止爪部４４３を含んで構成される。係止爪部４２、４４３は、複数、ここでは２つが設けられ、バッテリー筐体１０１の複数の面、ここでは、バッテリー筐体１０１において互いに対向する２面に係合する。
【００７７】
係止爪部４２は、上述したように、組み付け状態で、鉛直方向に沿って延在する板状部４２ａを介してプロテクタ３のベース部３１と一体で形成される。
【００７８】
一方、係止爪部４４３は、組み付け状態で、長辺方向に沿って延在する支持板４４３ａを介してプロテクタ３のベース部３１、保持部３２と一体で形成される。支持板４４３ａは、組み付け状態において、ベース部３１、保持部３２から長辺方向に向けて延在する本体部４４３ｂと、当該本体部４４３ｂのプロテクタ３（ベース部３１、保持部３２）側の端部とは反対側の端部から鉛直方向下側に向けて延在する屈曲部４４３ｃとを含んで構成される。係止爪部４４３は、支持板４４３ａの屈曲部４４３ｃの先端部（プロテクタ３がバッテリー１００のポスト立設面１０５上に組み付けられた状態で鉛直方向下側の端部）に当該屈曲部４４３ｃと一体で形成される。係止爪部４４３は、屈曲部４４３ｃの先端部が曲がったようなフック状、あるいは、鉤状に形成される（図２５等参照）。
【００７９】
係止爪部４４３及び支持板４４３ａの屈曲部４４３ｃは、組み付け状態で、バッテリー筐体１０１の蓋部材１０４の短辺方向に沿った側面、ここでは、係止爪部４２が係合する面と長辺方向に対して対向する側面と対向する位置に形成される。係止爪部４４３及び支持板４４３ａの屈曲部４４３ｃは、組み付け状態で、短辺方向に沿って延在して形成される。
【００８０】
ここでは、係止爪部４２、４４３は、バッテリー筐体１０１において、蓋部材１０４の縁部の鉛直方向下端面と係合する。係止機構４０４は、プロテクタ３がバッテリー１００のポスト立設面１０５上に組み付けられた状態でこの係止爪部４２、４４３が蓋部材１０４の鉛直方向下端面の所定の位置に係合することで、プロテクタ３をポスト立設面１０５上に係止しロックすることができる。
【００８１】
以上で説明したヒューズユニット４０１は、プロテクタ３のベース部３１と連接された保持部３２によってヒュージブルリンク２をバッテリー筐体１０１のポスト立設面１０５に保持し、当該ポスト立設面１０５でヒュージブルリンク２の荷重を受けることで、ヒューズユニット４０１からバッテリー端子１１０に作用する荷重を抑制することができるので、バッテリーポスト１０２に作用する荷重を抑制することができる。また、ヒューズユニット４０１は、バッテリー筐体１０１の側面側の周囲に当該ヒューズユニット４０１を設置するためのスペースが確保できないような場合に、バッテリー筐体１０１のポスト立設面１０５（鉛直方向上面）上に設置スペースを確保しヒュージブルリンク２を配置することができるので、適切にヒュージブルリンク２を設けることができる。
【００８２】
さらに、以上で説明したヒューズユニット４０１は、係止機構４０４によって、プロテクタ３をヒュージブルリンク２と共にポスト立設面１０５上に確実に組み付けることができる。
【００８３】
さらに、以上で説明したヒューズユニット４０１は、係止爪部４２、４４３がバッテリー筐体１０１と係合することで、プロテクタ３をヒュージブルリンク２と共にポスト立設面１０５上に係止することができる。
【００８４】
さらに、以上で説明したヒューズユニット４０１によれば、係止爪部４２、４４３は、複数設けられ、バッテリー筐体１０１において互いに対向する２面に係合する。したがって、ヒューズユニット４０１は、係止爪部４２、４４３がバッテリー筐体１０１の対向する２面に係合してプロテクタ３をポスト立設面１０５上に係止することができるので、より確実にプロテクタ３をポスト立設面１０５上に組み付けることができる。
【００８５】
なお、図２６に例示する変形例に示すように、以上で説明した係止機構４０４を上述したヒューズユニット２０１に適用してヒューズユニット４０１Ａを構成してもよい。この場合であっても、ヒューズユニット４０１Ａは、係止爪部４２、４４３がバッテリー筐体１０１と係合することで、プロテクタ３をヒュージブルリンク２と共にポスト立設面１０５上に係止することができ、当該プロテクタ３をヒュージブルリンク２と共にポスト立設面１０５上に確実に組み付けることができる。なお、図２６に例示した変形例に係る係止機構４０４は、係止爪部４２、４４３に加えて、さらに上述の係止爪部４１も含んで構成されている。この場合、係止爪部４１、４２、４４３は、バッテリー筐体１０１の３面に係合することとなる。この場合、ヒューズユニット４０１Ａは、例えば、係止爪部４１の存在によって支持板４４３ａの撓み等を抑制することもできるので、プロテクタ３をより確実にポスト立設面１０５上に係止することができる。
【００８６】
［実施形態５］
図２７は、実施形態５に係るヒューズユニットが適用されるバッテリーの概略構成を表す斜視図である。図２８は、実施形態５に係るヒューズユニットの係合爪部を含む部分断面図である。図２９は、変形例に係るヒューズユニットが適用されるバッテリーの概略構成を表す斜視図である。実施形態５に係るヒューズユニットは、係止機構の係合爪部が設けられる位置が実施形態１とは異なる。その他、上述した実施形態と共通する構成、作用、効果については、重複した説明はできるだけ省略し、概略構成については、適宜他図を参照する。
【００８７】
本実施形態に係るヒューズユニット５０１は、図２７、図２８に示すように、上述したヒュージブルリンク２と、保持機構としてのプロテクタ３と、係止機構５０４と、連結バスバー５とを備える。
【００８８】
そして、係止機構５０４は、プロテクタ３をポスト立設面１０５上に係止するものである。本実施形態の係止機構５０４は、バッテリー筐体１０１と係合することでプロテクタ３をポスト立設面１０５上に係止する係止爪部４１、５４４を含んで構成される。つまり、本実施形態の係止機構５０４は、上述の係止爪部４２にかえて係止爪部５４４を含んで構成される。係止爪部４１、５４４は、複数、ここでは２つが設けられ、バッテリー筐体１０１の複数の面、ここでは、バッテリー筐体１０１において互いに対向する２面に係合する。
【００８９】
係止爪部４１は、上述したように、組み付け状態で、鉛直方向に沿って延在する板状部４１ａを介してプロテクタ３のベース部３１と一体で形成される。
【００９０】
一方、係止爪部５４４は、組み付け状態で、短辺方向に沿って延在する支持板５４４ａを介してプロテクタ３のベース部３１、保持部３２と一体で形成される。支持板５４４ａは、組み付け状態において、ベース部３１、保持部３２から短辺方向に向けて延在する本体部５４４ｂと、当該本体部５４４ｂのプロテクタ３（ベース部３１、保持部３２）側の端部とは反対側の端部から鉛直方向下側に向けて延在する屈曲部５４４ｃとを含んで構成される。屈曲部５４４ｃは、蓋部材１０４の形状に合わせて段付き部が形成される。係止爪部５４４は、支持板５４４ａの屈曲部５４４ｃの先端部（プロテクタ３がバッテリー１００のポスト立設面１０５上に組み付けられた状態で鉛直方向下側の端部）に当該屈曲部５４４ｃと一体で形成される。係止爪部５４４は、屈曲部５４４ｃの先端部が曲がったようなフック状、あるいは、鉤状に形成される（図２８等参照）。
【００９１】
係止爪部５４４及び支持板５４４ａの屈曲部５４４ｃは、組み付け状態で、バッテリー筐体１０１の蓋部材１０４の長辺方向に沿った側面、ここでは、係止爪部４１が係合する面と短辺方向に対して対向する側面と対向する位置に形成される。係止爪部５４４及び支持板５４４ａの屈曲部５４４ｃは、組み付け状態で、長辺方向に沿って延在して形成される。
【００９２】
ここでは、係止爪部４１、５４４は、バッテリー筐体１０１において、蓋部材１０４の縁部の鉛直方向下端面と係合する。係止機構５０４は、プロテクタ３がバッテリー１００のポスト立設面１０５上に組み付けられた状態でこの係止爪部４１、５４４が蓋部材１０４の鉛直方向下端面の所定の位置に係合することで、プロテクタ３をポスト立設面１０５上に係止しロックすることができる。
【００９３】
以上で説明したヒューズユニット５０１は、プロテクタ３のベース部３１と連接された保持部３２によってヒュージブルリンク２をバッテリー筐体１０１のポスト立設面１０５に保持し、当該ポスト立設面１０５でヒュージブルリンク２の荷重を受けることで、ヒューズユニット５０１からバッテリー端子１１０に作用する荷重を抑制することができるので、バッテリーポスト１０２に作用する荷重を抑制することができる。また、ヒューズユニット５０１は、バッテリー筐体１０１の側面側の周囲に当該ヒューズユニット５０１を設置するためのスペースが確保できないような場合に、バッテリー筐体１０１のポスト立設面１０５（鉛直方向上面）上に設置スペースを確保しヒュージブルリンク２を配置することができるので、適切にヒュージブルリンク２を設けることができる。
【００９４】
さらに、以上で説明したヒューズユニット５０１は、係止機構５０４によって、プロテクタ３をヒュージブルリンク２と共にポスト立設面１０５上に確実に組み付けることができる。
【００９５】
さらに、以上で説明したヒューズユニット５０１は、係止爪部４１、５４４がバッテリー筐体１０１と係合することで、プロテクタ３をヒュージブルリンク２と共にポスト立設面１０５上に係止することができる。
【００９６】
さらに、以上で説明したヒューズユニット５０１は、係止爪部４１、５４４がバッテリー筐体１０１の対向する２面に係合してプロテクタ３をポスト立設面１０５上に係止することができるので、より確実にプロテクタ３をポスト立設面１０５上に組み付けることができる。
【００９７】
なお、図２９に例示する変形例に示すように、以上で説明した係止機構５０４を上述したヒューズユニット２０１に適用してヒューズユニット５０１Ａを構成してもよい。この場合であっても、ヒューズユニット５０１Ａは、係止爪部４１、５４４がバッテリー筐体１０１と係合することで、プロテクタ３をヒュージブルリンク２と共にポスト立設面１０５上に係止することができ、当該プロテクタ３をヒュージブルリンク２と共にポスト立設面１０５上に確実に組み付けることができる。
【００９８】
なお、上述した本発明の実施形態に係るヒューズユニットは、上述した実施形態に限定されず、特許請求の範囲に記載された範囲で種々の変更が可能である。本実施形態に係るヒューズユニットは、以上で説明した各実施形態、変形例の構成要素を適宜組み合わせることで構成してもよい。
【００９９】
以上の説明では、ヒュージブルリンク２は、ヒューズエレメント２１、スタッドボルト２２がインサート成形等によってハウジング２３内に埋設され一体化されるものとして説明したがこれに限らない。
【０１００】
以上の説明では、プロテクタ３の保持部３２は、長辺方向に対してベース部３１と隣接するようにして当該ベース部３１と一体で形成されるものとして説明したが、これに限らず、短辺方向に対してベース部３１と隣接するようにして当該ベース部３１と一体で形成されてもよい。
【０１０１】
また、以上で説明したヒューズユニットは、係止機構を備えない構成であってもよい。
【０１０２】
また、以上で説明したヒューズユニットは、ポスト立設面１０５に凹部１０６が形成されたバッテリー１００に適用するものとして説明したが、これに限らず、凹部１０６を有さないポスト立設面１０５が平面状のバッテリーに適用してもよい。この場合、ヒューズユニットは、上述したベース部３１、保持部３２、連結バスバー５等は略平面状に形成されることとなる。
【符号の説明】
【０１０３】
１、２０１、３０１、４０１、４０１Ａ、５０１、５０１Ａ    ヒューズユニット
２    ヒュージブルリンク
３    プロテクタ（保持機構）
４、４０４、５０４    係止機構
５    連結バスバー
２１    ヒューズエレメント
２１ｃ    可溶体
３１    ベース部
３２    保持部
４１、４２、４４３、５４４    係止爪部
１００    バッテリー
１０１    バッテリー筐体
１０２    バッテリーポスト
１０５    ポスト立設面
１０８    据付トレイ（被連結部材）
１１０    バッテリー端子
２３３    装着部
３０６、３０６Ａ、３０６Ｂ    端子位置決め機構
３０６ａ、３０６ｂ、３０６ｃ、３０６ｆ、３０６ｇ    凹部
３０６ｄ、３０６ｅ    凸部
３０７    端子ベース
【図１】
0006262159.tif 000002
【図２】
0006262159.tif 000003
【図３】
0006262159.tif 000004
【図４】
0006262159.tif 000005
【図５】
0006262159.tif 000006
【図６】
0006262159.tif 000007
【図７】
0006262159.tif 000008
【図８】
0006262159.tif 000009
【図９】
0006262159.tif 000010
【図１０】
0006262159.tif 000011
【図１１】
0006262159.tif 000012
【図１２】
0006262159.tif 000013
【図１３】
0006262159.tif 000014
【図１４】
0006262159.tif 000015
【図１５】
0006262159.tif 000016
【図１６】
0006262159.tif 000017
【図１７】
0006262159.tif 000018
【図１８】
0006262159.tif 000019
【図１９】
0006262159.tif 000020
【図２０】
0006262159.tif 000021
【図２１】
0006262159.tif 000022
【図２２】
0006262159.tif 000023
【図２３】
0006262159.tif 000024
【図２４】
0006262159.tif 000025
【図２５】
0006262159.tif 000026
【図２６】
0006262159.tif 000027
【図２７】
0006262159.tif 000028
【図２８】
0006262159.tif 000029
【図２９】
0006262159.tif 000030